【手続補正書】
【提出日】平成27年9月24日(2015.9.24)
【手続補正１】
【補正対象書類名】特許請求の範囲
【補正対象項目名】全文
【補正方法】変更
【補正の内容】
【特許請求の範囲】
【請求項１】
（ａ）電子装置と通信するように適応可能でかつ構成可能である筐体と、
（ｂ）患者の口と係合して空気流を送るように構成可能である近位端部及び遠位端部を有するマウスピースと、
（ｃ）前記マウスピース内の前記空気流から息振動を検出するように構成された１つ又は複数の振動板センサと、
（ｄ）前記１つ又は複数の振動板センサによって検出された前記息振動を解析するように適応可能でかつ構成可能であるプロセッサと
を備える、呼吸装置。
【請求項２】
最大呼気流量、最大吸気流量、平均流量、体積、経時流量、努力性肺活量、特定の時間間隔での流れ率、及び、特定の時間間隔でのスローで努力性の肺活量のうちの１つ又は複数を測定するように適応及び構成された、請求項１に記載の呼吸装置。
【請求項３】
前記息振動の解析結果を表示するように適応及び構成されたディスプレイ又は聴覚的インジケータと通信する、請求項１に記載の呼吸装置。
【請求項４】
前記マウスピースに進入する２次空気流を減少させるように前記マウスピースに対して位置決め可能なウィンドスクリーンをさらに備える、請求項１に記載の呼吸装置。
【請求項５】
環境データソースと通信し、随意的には、前記呼吸装置及び前記電子装置のうちの１つ又は複数と関連付けられた環境センサと通信する、請求項１に記載の呼吸装置。
【請求項６】
前記プロセッサが、息振動データと環境データを相関させるようにさらに適応可能でかつ構成可能であり、又は、前記プロセッサが、喘息出力を生成する、請求項１に記載の呼吸装置。
【請求項７】
（ａ）（ｉ）息振動を検出するように適応可能でかつ構成可能な１つ又は複数の振動板センサと、
（ｉｉ）マイクロフォンと、
（ｉｉｉ）前記マイクロフォンに近接して位置決めされたマウスピースと、
（ｉｖ）ポートと
を備える測定プローブ、及び
（ｂ）前記ポートに係合するように適応可能であり、プロセッサによって実行されたときに振動板の振動の振動分析を実行してその結果を表示するコンピュータ実行可能命令を有する計算システム
を具備する、システム。
【請求項８】
前記コンピュータ実行可能命令は、前記プロセッサによって実行されたときに、履歴患者データ、患者データ入力、現在の環境データ、同様の地理学的位置にいる他の患者の現在のデータ、及び同様の地理学的位置にいる他の患者の履歴データのそれぞれの１つ又は複数に基づいて呼吸事象の可能性を決定する、請求項７に記載のシステム。
【請求項９】
前記マウスピースに進入する２次空気流を減少させるように前記マウスピースに対して位置決め可能なウィンドスクリーンをさらに備える、請求項７に記載のシステム。
【請求項１０】
前記プロセッサが、息振動データと環境データを相関させるようにさらに適応可能でかつ構成可能であり、又は、前記プロセッサが、喘息出力を生成する、請求項７に記載のシステム。
【請求項１１】
計算装置によって実行されたときに、前記計算装置に、
電子装置と通信してユーザ呼吸入力を受信するように適応可能でかつ構成可能な筐体を有する呼吸装置から、最大呼気流量、最大吸気流量、及びスパイロメトリ測定値のそれぞれの１つ又は複数を受信するステップと、
最大呼気流量、最大吸気流量及びスパイロメトリ測定値のうちの前記受信した１つ又は複数の解析、モニタリング、評価及び応答のうちの少なくとも１つ又は複数を行うステップと
を含む方法を実行させる命令を記憶した、非一時的コンピュータ可読媒体。
【請求項１２】
計算装置によって実行されたときに、前記計算装置に、
患者群を構成する１人又は複数の患者のそれぞれのＧＰＳ位置及び条件指示の１つ又は複数を受信するステップと、
第２の患者のＧＰＳ位置と前記患者群を構成する前記１人又は複数の患者のＧＰＳ位置及び条件指示のうちの少なくとも１つ又は複数とに基づく第２の患者についての予測の解析、モニタリング、評価及び提供のうちの少なくとも１つ又は複数を実行するステップと
を含む方法を実行させる命令を記憶した、非一時的コンピュータ可読媒体。
【請求項１３】
遠隔サーバと通信するステップ、データの記録及びデータの伝送のうちの１つ又は複数を実行するステップ、又は測定のためのＧＰＳ位置を決定するステップをさらに含む、請求項１１又は１２に記載の非一時的コンピュータ可読媒体。
【請求項１４】
２次測定装置からデータを受信するステップをさらに含み、随意的に、前記２次測定装置が、心拍モニタ及びパルスオキシメトリ装置のうちの１つ又は複数である、請求項１１又は１２に記載の非一時的コンピュータ可読媒体。
【請求項１５】
環境データを取得するステップをさらに含み、随意的に、前記環境データが、花粉の数、大気汚染データ、周囲温度、温度変化及び湿度のそれぞれの１つ又は複数である、請求項１１又は１２に記載の非一時的コンピュータ可読媒体。
【請求項１６】
行動データを取得するステップをさらに含み、随意的に、前記行動データが、投薬計画の遵守、検査計画の遵守、モニタリング計画の遵守、システムが生成した勧告の遵守、及び医療供給者の勧告の遵守に関するデータのそれぞれの１つ又は複数を含む、請求項１１又は１２に記載の非一時的コンピュータ可読媒体。
【請求項１７】
電子装置と通信してユーザ呼吸入力を受信するように適応可能でかつ構成可能な筐体を有する呼吸装置から、最大呼気流量、最大吸気流量、及びスパイロメトリ測定値のそれぞれの１つ又は複数を受信するステップと、
環境データ入力を受信するステップと、
最大呼気流量、最大吸気流量及びスパイロメトリ測定値のうちの前記受信した１つ又は複数の解析、モニタリング、評価及び応答のうちの少なくとも１つ又は複数を行うステップと
を含む方法。
【請求項１８】
患者群を構成する１人又は複数の患者のそれぞれのＧＰＳ位置及び条件指示のうちの１つ又は複数を受信するステップと、
第２の患者のＧＰＳ位置と、前記患者群を構成する前記１人又は複数の患者のＧＰＳ位置及び条件指示のうちの少なくとも１つ又は複数とに基づく第２の患者についての予測の解析、モニタリング、評価及び提供のうちの少なくとも１つ又は複数を実行するステップと
を含む、方法。
【請求項１９】
遠隔サーバと通信するステップ、データの記録及びデータの伝送のうちの１つ又は複数を実行するステップ、又は測定のためのＧＰＳ位置を決定するステップをさらに含む、請求項１７又は１８に記載の方法。
【請求項２０】
２次測定装置からデータを受信するステップをさらに含み、随意的に、前記２次測定装置が、心拍モニタ及びパルスオキシメトリ装置のうちの１つ又は複数である、請求項１７又は１８に記載の方法。
【請求項２１】
環境データを取得するステップをさらに含み、随意的に、前記環境データが、花粉の数、大気汚染データ、周囲温度、温度変化及び湿度のそれぞれの１つ又は複数である、請求項１７又は１８に記載の方法。
【請求項２２】
行動データを取得するステップをさらに含み、随意的に、前記行動データが、投薬計画の遵守、検査計画の遵守、モニタリング計画の遵守、システムが生成した勧告の遵守、及び医療供給者の勧告の遵守に関するデータのそれぞれの１つ又は複数を含む、請求項１７又は１８に記載の方法。
【請求項２３】
電子装置と通信してユーザ呼吸入力を受信するように適応可能でかつ構成可能な筐体を有する呼吸装置から、最大呼気流量、最大吸気流量、及びスパイロメトリ測定値のそれぞれの１つ又は複数を受信するように、かつ、
最大呼気流量、最大吸気流量及びスパイロメトリ測定値のうちの前記受信した１つ又は複数の解析、モニタリング、評価及び応答のうちの少なくとも１つ又は複数を行うように構成されたプロセッサを備える、計算装置。
【請求項２４】
患者群を構成する１人又は複数の患者のそれぞれのＧＰＳ位置及び条件指示のうちの１つ又は複数を受信するように、かつ、
前記ＧＰＳ位置と、前記患者群を構成する前記１人又は複数の患者のＧＰＳ位置及び条件指示のうちの少なくとも１つ又は複数とに基づく第２の患者についての予測の解析、モニタリング、評価及び提供のうちの少なくとも１つ又は複数を実行するように構成されたプロセッサを備える、計算装置。
【請求項２５】
前記プロセッサが、遠隔サーバと通信するように構成されており、前記プロセッサが、データの記録及びデータの伝送のうちの１つ又は複数を実行するように構成されており、又は、前記プロセッサが、測定のためのＧＰＳ位置を決定するように構成されている、請求項２３又は２４に記載の計算装置。
【請求項２６】
前記プロセッサが、２次測定装置からデータを受信するように構成されており、随意的に、前記２次測定装置が、心拍モニタ及びパルスオキシメトリ装置のうちの１つ又は複数である、請求項２３又は２４に記載の計算装置。
【請求項２７】
前記プロセッサが、環境データを取得するように構成されており、随意的に、前記環境データが、花粉の数、大気汚染データ、周囲温度、温度変化及び湿度のそれぞれの１つ又は複数である、請求項２３又は２４に記載の計算装置。
【請求項２８】
前記プロセッサが、行動データを取得するように構成されており、随意的に、前記行動データが、投薬計画の遵守、検査計画の遵守、モニタリング計画の遵守、システムが生成した勧告の遵守、及び医療供給者の勧告の遵守に関するデータのそれぞれの１つ又は複数を含む、請求項２３又は２４に記載の計算装置。